(57)【要約】【課題】記憶手段に記憶した炊飯シーケンスに基づいて炊飯する炊飯器において、利用者が料理名を入力するだけで、経験と知識による炊き分けコース選択や水加減の調整を行うことなく、入力した料理名とご飯の相性が最適になるよう炊飯できるようにする。【解決手段】炊飯器本体内部に収容され調理物を入れる内鍋１を加熱手段２により加熱し、記憶手段７に記憶されている炊飯シーケンスに基づいて、制御手段５により加熱手段２を制御する。料理名とその料理とご飯との相性が最適になるように炊飯を行う炊飯シーケンスとを関連付けた情報を第１のデータベース８に登録する。料理名を入力する料理名入力手段に６より入力された料理名に対応した炊飯シーケンスを第１のデータベース８より検索し、検索された炊飯シーケンスを記憶手段７より選択して、その炊飯シーケンスで炊飯を行うことを可能にする。【選択図】図１
2005152305.tif 000002
【特許請求の範囲】
【請求項１】
炊飯器本体内部に収容され調理物を入れる内鍋と、前記内鍋を加熱する加熱手段と、炊飯シーケンスを記憶する記憶手段と、前記記憶手段に記憶されている炊飯シーケンスに基づいて前記加熱手段を制御する制御手段と、料理名を入力する料理名入力手段と、料理名とその料理とご飯との相性が最適になるように炊飯を行う炊飯シーケンスとを関連付けた情報が登録されている第１のデータベースとを備え、前記料理名入力手段により入力された料理名に対応した炊飯シーケンスを前記第１のデータベースより検索し、検索された炊飯シーケンスを前記記憶手段より選択して、その炊飯シーケンスで炊飯を行うことを可能にした炊飯器。
【請求項２】
炊飯器本体内部に収容され調理物を入れる内鍋と、前記内鍋を加熱する加熱手段と、炊飯シーケンスを記憶する記憶手段と、前記記憶手段に記憶されている炊飯シーケンスに基づいて前記加熱手段を制御する制御手段と、料理名を入力する料理名入力手段と、料理名とその料理とご飯との相性が最適になるように炊飯シーケンスを補正するためのシーケンス補正情報が登録されている第２のデータベースとを備え、前記料理名入力手段により入力された料理名に対応したシーケンス補正情報を前記第２のデータベースより検索し、そのシーケンス補正情報に基づいて前記記憶手段に記憶されている炊飯シーケンスを補正して、補正後の炊飯シーケンスで炊飯を行うことを可能にした炊飯器。
【請求項３】
料理の特徴を入力する料理タイプ入力手段を備え、第１または第２のデータベースは前記料理タイプ入力手段により入力された料理の特徴による検索を可能とした請求項１または２記載の炊飯器。
【請求項４】
米の銘柄名を入力する銘柄名入力手段と、米の銘柄とその銘柄に対応した特徴情報が登録されている米情報データベースとを備え、前記銘柄名入力手段により入力された銘柄名に対応した特徴情報に基づいて、炊飯シーケンスを補正するようにした請求項１〜３のいずれか１項に記載の炊飯器。
【請求項５】
炊飯器外部と情報の通信を行う通信手段を備え、前記通信手段を介して炊飯器外部よりデータを受信し、受信したデータに基づいて、データベースに登録されている情報の書き換えを可能とした請求項１〜４のいずれか１項に記載の炊飯器。
【発明の詳細な説明】
【技術分野】
【０００１】
本発明は、記憶手段に記憶されている炊飯シーケンスに基づいて加熱手段を制御して炊飯する炊飯器に関するものである。
【背景技術】
【０００２】
近年、嗜好の多様化に伴い、ご飯の硬さや粘りなどの異なる数種類の炊き分け機能を有する炊飯器が求められている。
【０００３】
従来、この種の炊飯器では利用者が入力手段より入力した好みによって炊飯シーケンスを変更し、その炊飯シーケンスに基づいて制御手段が加熱手段を制御し、内鍋を加熱することでご飯の硬さや粘りなどの炊き分けを可能にする構成となっていた（例えば、特許文献１参照）。
【特許文献１】特開２０００−１０７０２７号公報
【発明の開示】
【発明が解決しようとする課題】
【０００４】
しかしながら、このような従来の炊飯器では、利用者の好みで硬さ等の炊き分けを選択することは可能であるが、ご飯と一緒に食べる料理との相性という観点からの炊き分け機能は提供されておらず、ご飯と一緒に食べる料理との相性が良くなるようにご飯を炊くには、利用者の経験と知識による炊飯器の炊き分けコース選択と、水加減の調整を組み合わせて行うしかないという問題を有していた。
【０００５】
本発明は前記従来の課題を解決するもので、利用者が入力した料理名とご飯の相性が最適になるように炊飯できるようにすることを目的としている。
【課題を解決するための手段】
【０００６】
本発明は上記目的を達成するために、炊飯器本体内部に収容され調理物を入れる内鍋を加熱手段により加熱し、記憶手段に記憶されている炊飯シーケンスに基づいて、制御手段により加熱手段を制御し、料理名とその料理とご飯との相性が最適になるように炊飯を行う炊飯シーケンスとを関連付けた情報を第１のデータベースに登録し、料理名を入力する料理名入力手段により入力された料理名に対応した炊飯シーケンスを第１のデータベースより検索し、検索された炊飯シーケンスを記憶手段より選択して、その炊飯シーケンスで炊飯を行うことを可能にしたものである。
【０００７】
これにより、炊飯開始前に料理名を入力するだけで、料理との相性が最適になるようにご飯を炊き分けることができる。
【発明の効果】
【０００８】
本発明の炊飯器は、炊飯開始前に料理名を入力するだけで、料理との相性が最適になるようにご飯を炊き分けることができるため、利用者は料理とご飯の相性に関する経験や知識による炊き分けコース選択や水加減の調整をすることなく、容易に料理との相性が最適なご飯を炊くことができる。
【発明を実施するための最良の形態】
【０００９】
第１の発明は、炊飯器本体内部に収容され調理物を入れる内鍋と、前記内鍋を加熱する加熱手段と、炊飯シーケンスを記憶する記憶手段と、前記記憶手段に記憶されている炊飯シーケンスに基づいて前記加熱手段を制御する制御手段と、料理名を入力する料理名入力手段と、料理名とその料理とご飯との相性が最適になるように炊飯を行う炊飯シーケンスとを関連付けた情報が登録されている第１のデータベースとを備え、前記料理名入力手段により入力された料理名に対応した炊飯シーケンスを前記第１のデータベースより検索し、検索された炊飯シーケンスを前記記憶手段より選択して、その炊飯シーケンスで炊飯を行うことを可能にしたものであり、炊飯開始前に料理名を入力するだけで、料理との相性が最適になるようにご飯を炊き分けることができるため、利用者は料理とご飯の相性に関する経験や知識による炊き分けコース選択や水加減の調整をすることなく、容易に料理との相性が最適なご飯を炊くことができる。
【００１０】
第２の発明は、炊飯器本体内部に収容され調理物を入れる内鍋と、前記内鍋を加熱する加熱手段と、炊飯シーケンスを記憶する記憶手段と、前記記憶手段に記憶されている炊飯シーケンスに基づいて前記加熱手段を制御する制御手段と、料理名を入力する料理名入力手段と、料理名とその料理とご飯との相性が最適になるように炊飯シーケンスを補正するためのシーケンス補正情報が登録されている第２のデータベースとを備え、前記料理名入力手段により入力された料理名に対応したシーケンス補正情報を前記第２のデータベースより検索し、そのシーケンス補正情報に基づいて前記記憶手段に記憶されている炊飯シーケンスを補正して、補正後の炊飯シーケンスで炊飯を行うことを可能にしたものであり、炊飯開始前に料理名を入力するだけで、料理との相性が最適になるようにご飯を炊き分けることができるため、利用者は料理とご飯の相性に関する経験や知識による炊き分けコース選択や水加減の調整をすることなく、容易に料理との相性が最適なご飯を炊くことができる。また、各料理名に対応したシーケンス補正情報を使用する構成のため、各料理名に対応した炊飯シーケンスを使用する構成と比較して、小さな記憶容量で実現することができる。
【００１１】
第３の発明は、上記第１または第２の発明において、料理の特徴を入力する料理タイプ入力手段を備え、第１または第２のデータベースは前記料理タイプ入力手段により入力された料理の特徴による検索を可能としたものであり、料理タイプ入力手段により入力された特徴を持つ料理との相性が最適になるようにご飯を炊き分けることができるため、希望の料理名がデータベースに登録されていない場合でも、利用者は料理とご飯の相性に関する経験や知識による炊き分けコース選択や水加減の調整をすることなく、容易に料理との相性が最適なご飯を炊くことができる。
【００１２】
第４の発明は、上記第１〜３のいずれか１つの発明において、米の銘柄名を入力する銘柄名入力手段と、米の銘柄とその銘柄に対応した特徴情報が登録されている米情報データベースとを備え、前記銘柄名入力手段により入力された銘柄名に対応した特徴情報に基づいて、炊飯シーケンスを補正するようにしたものであり、米の銘柄に対応した炊き分けが可能となり、利用者は経験や知識による炊き分けコース選択や水加減の調整をすることなく、様々な米に対して、容易に料理との相性が最適なご飯を炊くことができる。
【００１３】
第５の発明は、上記第１〜４のいずれか１つの発明において、炊飯器外部と情報の通信を行う通信手段を備え、前記通信手段を介して炊飯器外部よりデータを受信し、受信したデータに基づいて、データベースに登録されている情報の書き換えを可能としたものであり、データベースの情報を常に最新の情報にすることができ、利用者は常に現時点で料理との相性が最適になるようにご飯を炊くことができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における炊飯器のブロック図を示すものである。
【００１６】
図１に示すように、内鍋１は内部に調理物を入れ、加熱手段２によって加熱される。内鍋１内部の調理物の温度は温度検知手段３によって検知し、制御手段５に入力している。計時手段４は調理中の各工程（例えば吸水工程）での経過時間を計測し、計測した時間を制御手段５に入力している。記憶手段７は制御手段５が炊飯時に使用する炊飯シーケンスを記憶するものであり、炊飯開始入力手段９は炊飯の開始を制御手段５に命令するものである。料理名入力手段６は、料理名を入力するもので、第１のデータベース８に登録されている料理名を表示するＬＣＤと、表示されている料理名の中から任意の料理名を選択するための選択ボタンとで構成し、選択された料理名を制御手段５に入力する。
【００１７】
第１のデータベース８は、料理名とその料理とご飯との相性が最適になるように炊飯を行う炊飯シーケンス（例えば、シチューに対応するのは、粘りを抑えて、やや硬めに炊き上げる炊飯シーケンス）の識別番号とを関連付けた情報が登録されているもので、制御手段５は料理名入力手段６により入力された料理名を検索キーとして、第１のデータベース８から料理名に対応した炊飯シーケンスの識別番号を検索し、検索した識別番号に対応した炊飯シーケンスを記憶手段７より選択し、選択した炊飯シーケンスと温度検知手段３が検知した調理物の温度と計時手段４が計測した調理中の各工程での経過時間に基づき、加熱手段２を制御して炊飯を行うよう構成している。
【００１８】
上記構成において図２のフローチャートを参照しながら動作を説明する。ステップ２０で炊飯器の使用を開始し、ステップ２１に進む。ステップ２１では、利用者は料理名入力手段６により、ご飯と一緒に食べる料理名を入力し、入力された料理名は制御手段５に入力される。つぎに、ステップ２２に進み、ステップ２２では、炊飯開始入力手段９による炊飯開始入力があったかをチェックする。ステップ２２で炊飯開始入力がなかった場合は、炊飯開始入力があるまでステップ２２でチェックを繰り返す。ステップ２２で炊飯開始入力があった場合はステップ２３に進む。ステップ２３では、制御手段５はステップ２１で入力された料理名を検索キーとして、第１のデータベース８から料理名に対応した炊飯シーケンスの識別番号を検索する。
【００１９】
つぎに、ステップ２４に進み、制御手段５はステップ２３で検索した識別番号に対応した炊飯シーケンスを記憶手段７より選択し、今回の炊飯に使用する炊飯シーケンスを決定する。つぎに、ステップ２５に進み、ステップ２５では、ステップ２４で決定した炊飯シーケンスと、温度検知手段３が検知した調理物の温度と、計時手段４が計測した調理中の各工程での経過時間に基づき、制御手段５が加熱手段２を制御して内鍋１を加熱することにより炊飯を行う。つぎに、ステップ２６に進み、炊飯が終了したかをチェックする。ステップ２６で炊飯が終了した場合はステップ２７に進み、炊飯器の使用を終了する。ステップ２６で炊飯が終了していない場合は、ステップ２５に戻り、炊飯制御を継続する。
【００２０】
以上のように、本実施の形態においては、料理名を入力する料理名入力手段６と、料理名とその料理とご飯との相性が最適になるように炊飯を行う炊飯シーケンスの識別番号とを関連付けた情報が登録されている第１のデータベース８を備え、料理名入力手段６により入力された料理名に対応した炊飯シーケンスの識別番号を第１のデータベース８より検索し、検索された識別番号に対応した炊飯シーケンスを記憶手段７より選択して、その炊飯シーケンスで炊飯を行うようにすることにより、炊飯開始前に料理名を入力するだけで、料理との相性が最適になるようにご飯を炊き分けることができるようになり、利用者は料理とご飯の相性に関する経験や知識による炊き分けコース選択や水加減の調整をすることなく、容易に料理との相性が最適なご飯を炊くことができる。
【００２１】
なお、本実施の形態では、料理名入力手段６は第１のデータベース８に登録されている料理名を表示するＬＣＤと、表示されている料理名の中から任意の料理名を選択するための選択ボタンという構成で説明したが、例えば、第１のデータベース８に登録されている料理名に対応したバーコード一覧表から任意のバーコードをバーコードリーダーにより読み込むように構成するなど、料理名を入力可能なものであれば任意の構成に変更可能である。
【００２２】
（実施の形態２）
図３は、本発明の実施の形態２における炊飯器のブロック図を示すものであり、図４は、炊飯シーケンスにおける各工程の所要時間と内鍋１の鍋底の温度との関係を示すタイムチャートである。
【００２３】
図３に示すように、料理名入力手段６は、第２のデータベース１０に登録されている料理名を表示するＬＣＤと、表示されている料理名の中から任意の料理名を選択するための選択ボタンとで構成し、選択された料理名を制御手段５に入力する。記憶手段７は、制御手段５が炊飯時に使用する炊飯シーケンスと、料理との相性が最適になるように炊飯シーケンスを補正するためのシーケンス補正情報（例えば、シチューに対応するのは、図４における吸水工程の温度を高く、工程時間を長めに、炊き上げ工程での加熱を強めにして昇温速度を早くし、沸騰維持工程の時間を短くするシーケンス補正情報）を記憶するものである。
【００２４】
第２のデータベース１０は、料理名とその料理とご飯との相性が最適になるように炊飯シーケンスを補正するためのシーケンス補正情報の識別番号とを関連付けた情報が登録されているもので、制御手段５は料理名入力手段６により入力された料理名を検索キーとして、第２のデータベース１０から料理名に対応したシーケンス補正情報の識別番号を検索し、検索した識別番号に対応したシーケンス補正情報を記憶手段７より選択し、選択したシーケンス補正情報に基づいて記憶手段７に記憶されている炊飯シーケンスを補正した炊飯シーケンスと温度検知手段３が検知した調理物の温度と計時手段４が計測した調理中の各工程での経過時間に基づき、加熱手段２を制御して炊飯を行うよう構成している。他の構成は上記実施の形態１と同じであり、同一符号を付して説明を省略する。
【００２５】
上記構成において図５のフローチャートを参照しながら動作を説明する。なお、ステップ２０からステップ２２およびステップ２６、ステップ２７の動作は、上記実施の形態１の動作と同じであるので説明を省略する。
【００２６】
ステップ３３で、制御手段５はステップ２１で入力された料理名を検索キーとして、第２のデータベース１０から料理名に対応したシーケンス補正情報の識別番号を検索する。つぎに、ステップ３４に進み、制御手段５はステップ３３で検索した識別番号に対応したシーケンス補正情報を記憶手段７より選択し、選択したシーケンス補正情報に基づいて、記憶手段７に記憶されている炊飯シーケンスを補正する。
【００２７】
つぎに、ステップ３５に進み、ステップ３５では、ステップ３４でシーケンス補正を行った炊飯シーケンスと、温度検知手段３が検知した調理物の温度と、計時手段４が計測した調理中の各工程での経過時間に基づき、制御手段５が加熱手段２を制御して内鍋１を加熱することにより炊飯を行い、ステップ２６に進む。
【００２８】
以上のように、本実施の形態においては、料理名を入力する料理名入力手段６と、料理名とその料理とご飯との相性が最適になるように炊飯シーケンスを補正するためのシーケンス補正情報が登録されている第２のデータベース１０とを備え、料理名入力手段６により入力された料理名に対応したシーケンス補正情報を第２のデータベース１０より検索し、そのシーケンス補正情報に基づいて記憶手段７に記憶されている炊飯シーケンスを補正するようにすることにより、炊飯開始前に料理名を入力するだけで、料理との相性が最適になるようにご飯を炊き分けることができるようになり、利用者は料理とご飯の相性に関する経験や知識による炊き分けコース選択や水加減の調整をすることなく、容易に料理との相性が最適なご飯を炊くことができる。
【００２９】
また、各料理名に対応したシーケンス補正情報を使用する構成のため、各料理名に対応した炊飯シーケンスを使用する構成と比較して、小さな記憶容量で実現することができる。
【００３０】
（実施の形態３）
図６は、本発明の実施の形態３における炊飯器のブロック図を示すものである。
【００３１】
図６に示すように、料理タイプ入力手段１１は、料理の特徴を入力するもので、第１のデータベース８に登録されている料理の特徴を表示するＬＣＤと、表示されている料理の特徴の中から任意の料理の特徴を選択するための選択ボタンとで構成し、選択された料理の特徴を制御手段５に入力する。第１のデータベース８は、料理名とその料理とご飯との相性が最適になるように炊飯を行う炊飯シーケンスの識別番号とを関連付けた情報に加え、例えば、「洋食・汁物・濃い味」といった料理の特徴とその特徴を持つ料理との相性が最適になるように炊飯を行う炊飯シーケンスの識別番号とを関連付けた情報が登録されている。
【００３２】
制御手段５は、料理名入力手段６により料理名が入力された場合は入力された料理名を検索キーとして、料理タイプ入力手段１１により料理の特徴が入力された場合は入力された料理の特徴を検索キーとして、第１のデータベース８から料理名または料理の特徴に対応した炊飯シーケンスの識別番号を検索し、検索した識別番号に対応した炊飯シーケンスを記憶手段７より選択し、選択した炊飯シーケンスと温度検知手段３が検知した調理物の温度と計時手段４が計測した調理中の各工程での経過時間に基づき、加熱手段２を制御して炊飯を行うよう構成している。他の構成は上記実施の形態１と同じであり、同一符号を付して説明を省略する。
【００３３】
上記構成において図７のフローチャートを参照しながら動作を説明する。なお、ステップ２０からステップ２２およびステップ２４からステップ２７の動作は、上記実施の形態１の動作と同じであるので説明を省略する。
【００３４】
ステップ４１では、利用者は料理名を入力するかどうかを決定する。料理名を入力すると決定した場合はステップ２１に進み、料理名を入力しないと決定した場合はステップ４２に進む。ステップ４２では、利用者は料理タイプ入力手段１１により、ご飯と一緒に食べる料理の特徴を入力し、入力された料理の特徴は制御手段５に入力され、ステップ２２に進む。
【００３５】
ステップ４３では、制御手段５はステップ２１で料理名入力手段６により料理名が入力された場合は入力された料理名を検索キーとして、ステップ４２で料理タイプ入力手段１１により料理の特徴が入力された場合は入力された料理の特徴を検索キーとして、第１のデータベース８から料理名または料理の特徴に対応した炊飯シーケンスの識別番号を検索し、ステップ２４に進む。
【００３６】
以上のように、本実施の形態においては、料理の特徴を入力する料理タイプ入力手段１１を付加し、第１のデータベース８に料理の特徴とその特徴を持つ料理との相性が最適になるように炊飯を行う炊飯シーケンスの識別番号とを関連付けた情報を追加して、第１のデータベース８を料理タイプ入力手段１１により入力された料理の特徴による検索を可能とすることにより、料理タイプ入力手段１１により入力された特徴を持つ料理との相性が最適になるようにご飯を炊き分けることができるため、希望の料理名が第１のデータベース８に登録されていない場合でも、利用者は料理とご飯の相性に関する経験や知識による炊き分けコース選択や水加減の調整をすることなく、容易に料理との相性が最適なご飯を炊くことができる。
【００３７】
なお、本実施の形態では、料理名入力手段６と料理タイプ入力手段１１を独立した２つの入力手段という構成で説明したが、これら２つの入力手段を１つにまとめ、入力開始時に料理名を入力するのか料理の特徴を入力するのかを選択するようにしても構わない。
【００３８】
（実施の形態４）
図８は、本発明の実施の形態４における炊飯器のブロック図を示すものである。
【００３９】
図８に示すように、銘柄名入力手段１２は、米の銘柄名を入力するもので、米情報データベース１３に登録されている銘柄名を表示するＬＣＤと、表示されている銘柄名の中から任意の銘柄名を選択するための選択ボタンとで構成し、選択された銘柄名を制御手段５に入力する。記憶手段７は制御手段５が炊飯時に使用する炊飯シーケンスと、米の特徴情報に対応したシーケンス補正情報（例えば、軟質で粘りが多い特徴を持つ米の場合は、標準の炊飯シーケンスより硬めで粘りを少なくする方向に補正するための情報）を記憶するものである。
【００４０】
米情報データベース１３は、米の銘柄名とその銘柄に対応した特徴情報（例えば、魚沼産コシヒカリの特徴は軟質で粘りが多い）が登録されているもので、制御手段５は銘柄名入力手段１２により入力された銘柄名を検索キーとして、米情報データベース１３から銘柄名に対応した特徴情報を検索し、検索した特徴情報に対応したシーケンス補正情報を記憶手段７より選択し、選択したシーケンス補正情報に基づいて炊飯シーケンスを補正するようにしている。他の構成は上記実施の形態１と同じであり、同一符号を付して説明を省略する。
【００４１】
上記構成において図９のフローチャートを参照しながら動作を説明する。なお、ステップ２０からステップ２７の動作は、上記実施の形態１の動作と同じであるので説明を省略する。
【００４２】
ステップ５１では、利用者は銘柄名入力手段１２により、炊飯に使用する米の銘柄名を入力し、入力された銘柄名は制御手段５に入力され、ステップ２２に進む。ステップ５２では、制御手段５はステップ５１で入力された銘柄名を検索キーとして、米情報データベース１３から銘柄名に対応した特徴情報を検索する。つぎに、ステップ５３に進み、制御手段５はステップ５２で検索された米の特徴情報に対応したシーケンス補正情報を記憶手段７より選択し、選択したシーケンス補正情報に基づいて、ステップ２１で入力された料理名に基づいてステップ２４で決定された炊飯シーケンスを補正する。つぎに、ステップ２５に進み、補正後の炊飯シーケンスで炊飯を行う。
【００４３】
以上のように、本実施の形態においては、米の銘柄名を入力する銘柄名入力手段１２と、米の銘柄とその銘柄に対応した特徴情報が登録されている米情報データベース１３を付加し、銘柄名入力手段１２により入力された銘柄名に対応した特徴情報を米情報データベース１３より検索し、検索された特徴情報に基づいて炊飯シーケンスを補正するようにすることにより、米の銘柄に対応した炊き分けが可能となり、利用者は経験や知識による炊き分けコース選択や水加減の調整をすることなく、様々な米に対して、容易に料理との相性が最適なご飯を炊くことができる。
【００４４】
なお、本実施の形態では、銘柄名入力手段１２は米情報データベース１３に登録されている銘柄名を表示するＬＣＤと、表示されている銘柄名の中から任意の銘柄名を選択するための選択ボタンという構成で説明したが、例えば、米情報データベース１３に登録されている銘柄名に対応したバーコード一覧表から任意のバーコードをバーコードリーダーにより読み込むように構成するなど、銘柄名を入力可能なものであれば任意の構成に変更可能である。
【００４５】
また、本実施の形態では、料理名入力手段６と銘柄名入力手段１２を独立した２つの入力手段という構成で説明したが、これら２つの入力手段を１つにまとめ、入力開始時に料理名を入力するのか銘柄名を入力するのかを選択するようにしても構わない。
【００４６】
（実施の形態５）
図１０は、本発明の実施の形態５における炊飯器のブロック図を示すものである。
【００４７】
図１０に示すように、通信開始命令入力手段１６は、炊飯器外部のサーバ１５との通信を開始する命令を制御手段５に入力するものである。通信手段１４はインターネット等の所定の通信網を介して炊飯器外部のサーバ１５とデータの通信を行うものであり、制御手段５は通信手段１４を介してサーバ１５に記憶されているデータを受信し、第１のデータベース８に登録されている情報を書き換えるようにしている。他の構成は上記実施の形態１と同じであり、同一符号を付して説明を省略する。
【００４８】
上記構成において図１１のフローチャートを参照しながら動作を説明する。なお、炊飯に関する動作は上記実施の形態１と同じであるので説明を省略する。
【００４９】
ステップ６０で炊飯器の使用を開始し、ステップ６１に進む。ステップ６１では、通信開始命令入力手段１６により通信開始命令が入力されたかをチェックし、通信開始命令の入力があった場合はステップ６２に進み、通信開始命令の入力がなかった場合はステップ６１で再度、通信開始命令の入力をチェックする。ステップ６２では、通信手段１４がインターネット等の所定の通信網に接続されているかをチェックし、接続されている場合はステップ６３に進み、接続されていない場合はステップ６７に進んでＬＣＤ表示やブザーなどにより通信エラーの報知を行う。
【００５０】
ステップ６３では、制御手段５は通信手段１４を介してサーバ１５にデータベース書き換え用データの送信要求を送信し、ステップ６４に進む。ステップ６４では、サーバ１５はステップ６３で送信されたデータベース書き換え用データの送信要求に対して、該当の書き換え用データがサーバ１５内にあるかをチェックし、該当の書き換え用データがあった場合は、通信手段１４を介して制御手段５にデータベース書き換え用データを送信してステップ６５に進み、該当の書き換え用データがなかった場合は、通信手段１４を介して制御手段５にエラーの内容（サーバ内に該当するデータが存在しない）を送信してステップ６７に進み、制御手段５はＬＣＤ表示やブザーなどによりエラーの報知を行う。
【００５１】
ステップ６５では、制御手段５はステップ６４でサーバ１５より送信されたデータベース書き換え用データを受信してステップ６６に進む。ステップ６６では、制御手段５は第１のデータベース８に登録されている情報をステップ６５で受信したデータベース書き換え用データに書き換える。つぎに、ステップ６８に進み、炊飯器の使用を終了する。
【００５２】
以上のように、本実施の形態においては、炊飯器外部と情報の通信を行う通信手段１４を付加し、通信手段１４を介して炊飯器外部よりデータベース書き換え用のデータを受信し、受信したデータに基づいて、第１のデータベース８に登録されている情報を書き換えることを可能とすることにより、第１のデータベース８の情報を常に最新の情報にすることができ、利用者は常に現時点で料理との相性が最適になるようにご飯を炊くことができる。
【産業上の利用可能性】
【００５３】
以上のように、本発明にかかる炊飯器は、炊飯開始前に料理名を入力するだけで、料理との相性が最適になるようにご飯を炊き分けることができるため、利用者は料理とご飯の相性に関する経験や知識による炊き分けコース選択や水加減の調整をすることなく、容易に料理との相性が最適なご飯を炊くことができるので、記憶手段に記憶されている炊飯シーケンスに基づいて加熱手段を制御して炊飯する炊飯器として有用である。
【図面の簡単な説明】
【００５４】
【図１】本発明の実施の形態１における炊飯器のブロック図
【図２】同炊飯器の動作を示すフローチャート
【図３】本発明の実施の形態２における炊飯器のブロック図
【図４】同炊飯器における炊飯シーケンスの一例を示す図
【図５】同炊飯器の動作を示すフローチャート
【図６】本発明の実施の形態３における炊飯器のブロック図
【図７】同炊飯器の動作を示すフローチャート
【図８】本発明の実施の形態４における炊飯器のブロック図
【図９】同炊飯器の動作を示すフローチャート
【図１０】本発明の実施の形態５における炊飯器のブロック図
【図１１】同炊飯器の動作を示すフローチャート
【符号の説明】
【００５５】
１  内鍋
２  加熱手段
５  制御手段
６  料理名入力手段
７  記憶手段
８  第１のデータベース
【図１】
2005152305.tif 000003
【図２】
2005152305.tif 000004
【図３】
2005152305.tif 000005
【図４】
2005152305.tif 000006
【図５】
2005152305.tif 000007
【図６】
2005152305.tif 000008
【図７】
2005152305.tif 000009
【図８】
2005152305.tif 000010
【図９】
2005152305.tif 000011
【図１０】
2005152305.tif 000012
【図１１】
2005152305.tif 000013